(57)【要約】【課題】マイナスイオンの発生量を増大させて、しかも、イオン発生ニードルとこれに対向したアース電極との間の距離を簡単に微調整することができる、壁掛け型空気調和装置及びイオン発生装置を提供する。【解決手段】空気調和機本体のスクロール部と舌部とで囲まれた空気吹出し口内にイオン発生装置を備えた壁掛け型空気調和装置において、イオン発生装置２５が、吹出し空気の流れ方向に沿って通風部３１を有した絶縁体からなる本体３３を備え、この本体３３の通風部内にイオン発生ニードル３５とこれに対向したアース電極３７とを備え、本体３３には、通風部３１の少なくとも出口に門形のゲート部４１を形成した。【選択図】　　　図４
2004093011.tif 000002
【特許請求の範囲】
【請求項１】
空気調和機本体のスクロール部と舌部とで囲まれた空気吹出し口内にイオン発生装置を備えた壁掛け型空気調和装置において、前記イオン発生装置が、吹出し空気の流れ方向に沿って通風部を有した絶縁体からなる本体を備え、この本体の通風部内にイオン発生ニードルとこれに対向したアース電極とを備え、前記本体には、通風部の少なくとも出口に門形のゲート部を形成したことを特徴とする壁掛け型空気調和装置。
【請求項２】
前記通風部の入口側に上半部を塞ぐ閉塞板を設け、前記通風部の出口側の上半部に前記イオン発生ニードルを配置したことを特徴とする請求項１記載の壁掛け型空気調和装置。
【請求項３】
前記アース電極がねじであり、このねじのねじ込み量を調整することによりイオン発生ニードルとの距離を調整することを特徴とする請求項１又は２記載の壁掛け型空気調和装置。
【請求項４】
前記イオン発生ニードルが金属板に保持され、この金属板が固定される前記本体の一部に当該本体と前記金属板との接触面積を減じるためのリブを備えたことを特徴とする請求項１乃至３のいずれか一項記載の壁掛け型空気調和装置。
【請求項５】
通風部を有した絶縁体からなる本体を備え、この本体の通風部内にイオン発生ニードルとこれに対向したアース電極とを備え、前記本体には、前記通風部の少なくとも出口に門形のゲート部を形成したことを特徴とするイオン発生装置。
【発明の詳細な説明】
【０００１】
【発明の属する技術分野】
本発明は、マイナスイオンの発生量の増大を可能にした壁掛け型空気調和装置及びイオン発生装置に関する。
【０００２】
【従来の技術】
一般に、空気調和機本体のスクロール部と舌部とで囲まれた空気吹出し口内にイオン発生装置を備えた壁掛け型空気調和装置が知られている。この種のものでは、イオン発生ニードルとこれに対向したアース電極とを備え、これらを近付けることにより、開放空間内の電界強度を増し、イオン発生ニードルの先端部から放出されるマイナスイオン量を増加させている。
【０００３】
【発明が解決しようとする課題】
しかし、従来の構成では、マイナスイオンの発生量の増大を十分達成することができない。また、イオン発生ニードルとこれに対向したアース電極との間の距離を簡単に調整することができない。
【０００４】
そこで、本発明の目的は、上述した従来の技術が有する課題を解消し、マイナスイオンの発生量を増大させて、しかも、イオン発生ニードルとこれに対向したアース電極との間の距離を簡単に微調整することができる、壁掛け型空気調和装置及びイオン発生装置を提供することにある。
【０００５】
【課題を解決するための手段】
請求項１記載の発明は、空気調和機本体のスクロール部と舌部とで囲まれた空気吹出し口内にイオン発生装置を備えた壁掛け型空気調和装置において、前記イオン発生装置が、吹出し空気の流れ方向に沿って通風部を有した絶縁体からなる本体を備え、この本体の通風部内にイオン発生ニードルとこれに対向したアース電極とを備え、前記本体には、通風部の少なくとも出口に門形のゲート部を形成したことを特徴とする。
【０００６】
請求項２記載の発明は、請求項１記載のものにおいて、前記通風部の入口側に上半部を塞ぐ閉塞板を設け、前記通風部の出口側の上半部に前記イオン発生ニードルを配置したことを特徴とする。
【０００７】
請求項３記載の発明は、請求項１又は２記載のものにおいて、前記アース電極がねじであり、このねじのねじ込み量を調整することによりイオン発生ニードルとの距離を調整することを特徴とする。
【０００８】
請求項４記載の発明は、請求項１乃至３のいずれか一項記載のものにおいて、前記イオン発生ニードルが金属板に保持され、この金属板が固定される前記本体の一部に当該本体と前記金属板との接触面積を減じるためのリブを備えたことを特徴とする。
【０００９】
請求項５記載の発明は、通風部を有した絶縁体からなる本体を備え、この本体の通風部内にイオン発生ニードルとこれに対向したアース電極とを備え、前記本体には、前記通風部の少なくとも出口に門形のゲート部を形成したことを特徴とする。
【００１０】
【発明の実施の形態】
以下、本発明の実施の形態を、図面に基づき説明する。
【００１１】
図１は、壁掛け型空気調和装置の縦断面図である。１は空気調和機本体を示しており、この本体１は壁３に据え付けられている。この本体１内には室内側熱交換器５と、クロスフローファン７とが設置されている。
【００１２】
この本体１の上部１Ａには上部吸い込み口９がグリル状に形成され、この上部１Ａの前縁部１Ｂには、吸い込みグリル１１が上端１１Ａを、図示を省略した支点を中心にヒンジ連結した状態で、下端１１Ｂが本体１前面から開放自在に取り付けられている。
【００１３】
この吸い込みグリル１１の内側には、フィルタ素材（図示せず）を有した吸い込みフィルタ１３が、昇降自在に取り付けられている。
【００１４】
空気調和機本体１の下部には、スクロール部１７と舌部１９とで囲まれた空気吹出し口２１が形成され、この空気吹出し口２１内には風向変更板２３が配置されている。この風向変更板２３は、空気吹出し口２１の下側長手方向に延材する幅狭の下側水平板２３Ａと、空気吹出し口２１の上側長手方向に延材する上側水平板２３Ｂと、空気吹出し口２１の短手方向に延材する複数枚の垂直板（図示せず）とを備えて構成される。
【００１５】
本実施形態では、スクロール部１７と舌部１９とで囲まれた空気吹出し口２１内の狭まった最も上流位置であって、図２に示すように、空気吹出し口２１を構成する長手方向端部の壁面２１Ａに、空気吹出し口２１内に突出するイオン発生装置２５が取り付けられる。
【００１６】
このイオン発生装置２５は、図４に示すように、吹出し空気の流れ方向（矢印Ａの方向）に沿って貫通する通風部３１を有した絶縁体からなる樹脂製の本体３３を備え、この本体３３の通風部３１内には、イオン発生ニードル３５とこれに対向したアース電極３７とを配置して構成されている。
【００１７】
このイオン発生装置２５は、リード線（図示せず）を通じて所定の電圧を印加すると、イオン発生ニードル３５の先端部からマイナスイオンが放出される。また、アース電極３７にはアース線が接続され、アース線は空気調和機本体に接続され、冷媒管並びに室外ユニット等を通じて接地される。イオン発生装置２５が長時間使用された場合、本体３３にマイナス電荷が帯電するが、このマイナス電荷は、アース線を通じてグランドに逃げるため、本体３３への帯電量は減少し、開放空間近傍の電界強度が増し、イオン発生ニードル３５の先端部から放出されるマイナスイオン量が維持される。
【００１８】
本体３３の通風部３１の出口３１Ａには、上端を開いた門形のゲート部４１が形成されると共に、図３に示すように、上流に位置する通風部３１の入口３１Ｂには、上端を閉じた門形のゲート部４３が形成されている。
【００１９】
これらのゲート部４１，４３は、その幅Ｗ（図４）があまり広いと、そこに手指が入り、イオン発生ニードル３５に接触する危険がある一方で、あまり狭いと通風部３１を流れる空気の量が少なくなり、その下流に運ばれるマイナスイオンの量が減じられる。これらを考慮して、ゲート部４１，４３の幅Ｗは、例えば、５〜６ｍｍに設定される。
【００２０】
通風部３１の出口３１Ａのゲート部４１は、上端を開いた門形に形成されるため、手指の進入を阻止しつつ、上端を含む開放空間が広くなるため、下流に運ばれるマイナスイオンの量を増大させることができる。
【００２１】
また、通風部３１の入口３１Ｂには、通風部３１の上半部を塞ぐ閉塞板４５が設けられている。そして、上述したイオン発生ニードル３５は、通風部３１の出口３１Ａの上半部に配置されている。
【００２２】
この構成では、図４を参照し、空気の流れＡが階段状になる。すなわち、通風部３１の入口３１Ｂでは、上半部が閉塞板４５で塞がれているため、空気が下半部から導入され、通風部３１の出口３１Ａでは、下半部にアース電極３７が突出するため、空気の流れＡが上半部に向かい、そこに位置するイオン発生ニードル３５に至り、この空気は、マイナスイオンを大量に含んで、下流に、すなわち被調和空間に運ばれる。
【００２３】
アース電極３７はねじであり、図５に示すように、このねじ３７は、空気吹出し口２１を構成する長手方向端部の壁面２１Ａを裏側から貫通し、このねじ３７のねじ込み量を調整することにより、その突出量が調整され、この突出量の調整により、図４に示すように、アース電極３７の先端とイオン発生ニードル３５との距離Ｌが調整される。
【００２４】
イオン発生ニードル３５とアース電極３７とを近付けると、開放空間内の電界強度が増し、イオン発生ニードルの先端部から放出されるマイナスイオン量が増加する。ただし、あまり近付けすぎると、イオン発生ニードル３５とアース電極３７との間でコロナ放電が起こる。従って、コロナ放電が起きない範囲で極力近付けて設置される。
【００２５】
この構成では、アース電極３７がねじで構成されるため、そのねじ込み量を調整することにより、アース電極３７とイオン発生ニードル３５との距離Ｌを簡単に調整することができる。
【００２６】
イオン発生ニードル３５は、図６に示すように、一枚の折り曲げられた金属板５１の保持部５１Ａに保持され、この金属板５１がねじ５３を介して本体３３に固定され、これによって、イオン発生ニードル３５が、本体３３の通風部３１内に保持されている。ここで、本体３３の一部には、十文字状にリブ５５が形成され、このリブ５５が金属板５１に当接し、これによって当該本体３３と金属板５１との接触面積が減じられる。
【００２７】
この構成では、リブ５５を存在させることによって、金属板５１の取り付けガタを減少させることができる。また、本体３３への接触度を低めることにより、耐湿度性を向上させることができる。
【００２８】
以上、本発明を上記実施の形態に基づいて説明したが、本発明はこれに限定されるものではない。
【００２９】
【発明の効果】
本発明では、マイナスイオンの発生量を増大させることができ、しかも、イオン発生ニードルとこれに対向したアース電極との間の距離を簡単に微調整することができる。
【図面の簡単な説明】
【図１】本発明による壁掛け型空気調和装置の一実施形態を示す縦断面図である。
【図２】イオン発生装置の取り付け状態を示す斜視図である。
【図３】イオン発生装置の取り付け状態を示す斜視図である。
【図４】イオン発生装置を拡大して示す斜視図である。
【図５】イオン発生装置を裏からみて示す斜視図である。
【図６】イオン発生ニードルを示す斜視図である。
【符号の説明】
１　空気調和機本体
１７　スクロール部
１９　舌部
２１　空気吹出し口
２５　イオン発生装置
３１　通風部
３３　本体
３５　イオン発生ニードル
３７　アース電極
４１，４３　ゲート部
４５　閉塞板
５１　金属板
５５　リブ
【図１】
2004093011.tif 000003
【図２】
2004093011.tif 000004
【図３】
2004093011.tif 000005
【図４】
2004093011.tif 000006
【図５】
2004093011.tif 000007
【図６】
2004093011.tif 000008